(57)【要約】  車両用内装部品(13)は、ドア(12)のインナパネル(31)に取り付けられている。内装部品(13)は、インナパネル(31)への締結に用いられるねじ部品(42)を通すために開けられた締結孔(43)と、締結孔(43)の下方に形成された受け皿部(44)と、受け皿部(44)に開口４５をねじ部品４２が通過しない大きさで形成されている開口(45)とを有している。
2012117760.tif 000002
【特許請求の範囲】
【請求項１】
車体側の固定部に取り付けられている車両用内装部品であって、
前記固定部への締結に用いるねじ部品と、
前記ねじ部品を通すよう開けられた締結孔と、
前記締結孔の下方に形成された受け皿部と、
前記受け皿部に前記ねじ部品が通過しない大きさに形成された開口と、
を備えていることを特徴とする車両用内装部品。
【請求項２】
前記開口は、複数の開口からなる、請求項１記載の車両用内装部品。
【発明の詳細な説明】
【技術分野】
【０００１】
本発明は、車室に設けられた車両用内装部品に関する。
【背景技術】
【０００２】
ドアのアームレストに取り付けられた車両用内装部品が、特許文献１に開示されているように知られている。この内装部品は、物入れのポケットであり、車室の内装となるドアライニングの開口部から挿入して該開口部に縁を係合させている。さらに、この内装部品は、ドアライニングに下部をねじ部材で締結されているので、部品数を削減し、手間を掛けずに取付けることができる。【０００３】
しかし、特許文献１に開示されている内装部品は、その下部にねじ部材を工具で締結する際に、うっかり、ねじ部材を落とすことがある。落としたねじ部材はドアの内部に落下すると、ドア内からねじ部材を取り出すのに手間がかかる。
【先行技術文献】
【特許文献】
【０００４】
【特許文献１】特開平８−１８３４０６号公報
【発明の概要】
【発明が解決しようとする課題】
【０００５】
本発明は、内装部品をねじ部品で組み付けるときに、ねじ部品を落としたとき、該ねじ部品を受け止め、内装部品の近傍に落ちた水が漏れて、受け皿部まで流れても受け皿部に水が溜まることを防止し、受け皿部を潰れ易くして車両外方からの衝撃を吸収する車両用内装部品を提供することを課題とする。
【課題を解決するための手段】
【０００６】
請求項１に係る発明によれば、車体側の固定部に取り付けられている車両用内装部品であって、前記固定部への締結に用いるねじ部品と、前記ねじ部品を通すよう開けられた締結孔と、前記締結孔の下方に形成された受け皿部と、前記受け皿部に前記ねじ部品が通過しない大きさに形成された開口と、を備えている車両用内装部品がの提供される。【０００７】
請求項２に係る発明では、好ましくは、前記開口は複数の開口からなる。
【発明の効果】
【０００８】
請求項１に係る発明では、内装部品をねじ部品で組み付けるときに、うっかり、工具または締結孔からねじ部品を落としても受け皿部で受け止めることができ、ねじ部品が落下することを防止することができる。【０００９】
内装部品に落ちた水が漏れて、漏れた水が受け皿部まで流れても、開口から排水することができ、受け皿部に水が溜まることを防止することができる。【００１０】
さらに、車両の外方から衝撃荷重が入力されて内装部品に荷重が伝わっても、開口を起点に割れが起きる。その結果、受け皿部を潰れ易くすることができ、衝撃を吸収することができる。【００１１】
請求項２に係る発明では、開口は、複数形成されているので、ボルトがより開口に引っかかり易いという利点がある。さらに、水滴がより落ち易くなる。
【図面の簡単な説明】
【００１２】
【図１】本発明の実施例に係る内装部品を車室内から見たドアの側面図である。
【図２】図１におけるドア内装組み立て体の側面図である。
【図３】カバーを外したドア内装壁の斜視図である。
【図４】図３に示された内装部品の斜視図である。
【図５】図３の５−５線に沿った断面図である。
【図６】図２の６−６線に沿った断面図である。
【図７】図２の７−７線に沿った断面図である。
【図８】内装部品をねじ部品でインナパネルに取り付ける状態を示した断面図である。
【図９】図８に示した内装部品から水を排出する状態を示した断面図である。
【図１０】内装部品が衝撃吸収する状態を示した図であって、（ａ）は衝撃荷重が入力される前の状態を示した断面図であり、（ｂ）は入力された後の状態を示した断面図である。
【発明を実施するための形態】
【００１３】
以下、本発明の好ましい実施例について、添付した図面に基づいて詳細に説明する。
【実施例】
【００１４】
図１、図２及び図３は、車体１１内に設けられた内装部品１３を示している。ドア１２は、右前ドアであり、ドア開レバー１６、肘掛け１７、肘掛け１７に配置した操作盤２１を備えている。操作盤２１には、右前ドア１２のガラス２２や左前ドア（図示せず）のドアガラスを開閉するボタンが配置されている。【００１５】
ドア１２は、肘掛け１７に配置した内装部品１３である物入れボックスと、スピーカ配置部２４とを備えている。ドア本体２５には、ドア内装壁２６が取り付けられている。ドア本体２５は、アウタパネル２８と、インナパネル３１とからなる。ドア内装壁２６、内装部品１３および肘掛け１７は、インナパネル３１に固定されている。【００１６】
図１〜図７に示すように、肘掛け１７は、ドア内装壁２６から張り出し（図６の矢印ａ１の方向）、肘を掛けるために形成された肘掛け本体部３２を有する。図５に示すように、この肘掛け本体部３２に連ねて内装部品（物入れボックス）１３が開口３４を車体１１の上方へ向けて配置され、内装部品１３に連ねて操作盤２１がボタン３５を車体１１の上方へ向けて配置されている。このように肘掛け１７は車体１１の前後方向に延びている。【００１７】
図５、図６及び図７に示すように、内装部品１３、操作盤２１を載せる肘掛け１７のベースボックス部３７は、ドア内装壁２６から矢印ａ１で示すように車室３８側へ向けて突出している。カバー部材４１はベースボックス部３７に取り付けられている。カバー部材４１および操作盤２１を取り外した状態は、図３及び図４に示されている。カバー部材４１は、操作盤２１のカバーであり、内装部品１３のカバーである。【００１８】
次に、図１〜図７に基づいて内装部品１３の構成について説明する。内装部品１３は、ドア１２の固定部であるインナパネル３１に取付けられている。【００１９】
図７に示すように、内装部品１３は、ねじ部品４２を通すために形成された締結孔４３を有する。ねじ部品４２は、内装部品１３をインナパネル３１に締結するために用いられる。締結孔４３の下方には、受け皿部４４が形成されている。受け皿部４４に形成された開口４５は、ねじ部品４２が通過しない大きさに形成されている。開口４５は、第１開口７１、第２開口７２、第３開口７３および第４開口７４）で形成されている【００２０】
図５に示すように、内装部品（物入れボックス）１３は、ボックス本体４７が四角形に、且つ所望の平均深さＢで形成されている。ボックス本体４７の縁に連続する周縁フランジ部４８は、ベースボックス部３７の上縁５１（図４）に取り付けられている【００２１】
周縁フランジ部４８のうち車体１１前方へ向く前縁フランジ部５２、言い換えると、操作盤２１に近接した前縁フランジ部５２に連続してボックス本体４７の外方に締結ブラケット５３が形成されている。【００２２】
図５及び図７に示すように、締結ブラケット５３は、締結ブラケット本体５５と、補強ブラケット５６と、受け皿部４４とからなる。締結ブラケット本体５５は、板状で、ドア１２のインナパネル３１に対向し、前縁フランジ部５２近傍に位置する上部５８に開けられた締結孔４３を有する。【００２３】
締結ブラケット本体５５のうちボックス本体４７に近接した縁に連ねて板状の補強ブラケット５６が車室３８へ向け延びて面を車体１１の前後方向へ向けている。この補強ブラケット５６の下縁６１および締結ブラケット本体５５の下縁６２に受け皿部４４が一体に形成されている。【００２４】
図７に示すように、受け皿部４４は、板状で、締結ブラケット本体５５の下縁６２に第１固定端６４が一体に接続し、補強ブラケット５６（図５）の下縁６１に第２固定端６５が一体に接続している。第１固定端６４に対向する端が接続していない第１自由先端６６である。一方、図４及び図５に示す第２自由先端６７は、第２固定端６５に対向する先端が接続されていない。【００２５】
受け皿部４４に形成された開口４５は、図７に示すように、ドア１２のインナパネル３１に近接し、且つ締結孔４３の下方に近接して形成された第１開口７１と、第１開口７１に平行に順に形成した第２開口７２と、第３開口７３と、第４開口７４とからなる。【００２６】
図４に示すように、第１開口７１は長穴で、車体１１の前後方向に延びている。第２開口７２、第３開口７３、第４開口７４は、第１開口７１と同様に長穴である。第１開口７１の長さが一番短く、順に長くなり、第４開口７４の長さが一番長い。図７に示すように、第１開口７１の幅Ｗ１は、ねじ部品４２の頭部７６が通らない大きさに形成されている。第２開口７２、第３開口７３、第４開口７４の幅Ｗ２、Ｗ３、Ｗ４は、第１開口７１の幅Ｗ１と同様（Ｗ１＝Ｗ２＝Ｗ３＝Ｗ４）である。【００２７】
次に、図８に基づいて内装部品１３でねじ部品４２を受け止める作用について説明する。内装部品１３をインナパネル３１に組み付ける際に、内装部品１３の締結孔４３に通すねじ部品４２を矢印ａ２のように落とした場合、ねじ部品４２は受け皿部４４で受け止められる。【００２８】
受け皿部４４には、第１開口７１〜第４開口７４を開けているが、第１開口７１〜第４開口７４の大きさ（Ｗ１〜Ｗ４）はねじ部品４２の頭部７６より小さいため、第１開口７１〜第４開口７４からねじ部品４２は落下しない。【００２９】
このように、受け皿部４４にねじ部品４２が受け止められ、受け皿部４４上を転がると、第１開口７１〜第４開口７４のうちいずれかの一カ所の開口に嵌り、受け皿部４４からねじ部品４２が落下し難いという利点がある。【００３０】
次に、図９に基づいて内装部品１３の水が排出する作用について説明する。内装部品（物入れボックス）１３では、操作盤２１のボタンの隙間から水Ｗ（図５も参照）が内部に矢印ａ３のように漏れると、受け皿部４４に落ち、受け皿部４４に開けた第１開口７１〜第４開口７４から矢印ａ４のように落ちる。その結果、受け皿部４４に水Ｗが溜まらないので、例えば、操作盤２１には影響しない。【００３１】
次に、図１０に基づいて内装部品１３の衝撃吸収作用について説明する。内装部品１３では、図１０（ａ）に示すように、ドア１２に外方から荷重が、例えば側面衝突の衝撃（荷重）が矢印ａ５のように入力すると、図１０（ｂ）に示すように、内装部品１３に圧縮荷重が矢印ａ６のように加わる。内装部品１３に荷重が入力すると、受け皿部４４の第１開口７１〜第４開口７４（図１０（ａ））に荷重が集中するので、受け皿部４４は開口４５のないものに比べ、破壊し易く、緩衝機能を発揮することができる。
【産業上の利用可能性】
【００３２】
本発明の内装部品は、車両ドアに好適である。
【符号の説明】
【００３３】
１１…車体、１２…車体側（ドア）、１３…内装部品、３１…固定部（インナパネル）、３４…開口、４２…ねじ部品、４３…締結孔、４４…受け皿部、４５…開口、７１…第１開口、７２…第２開口、７３…第３開口、７４…第４開口。
【図１】
2012117760.tif 000003
【図２】
2012117760.tif 000004
【図３】
2012117760.tif 000005
【図４】
2012117760.tif 000006
【図５】
2012117760.tif 000007
【図６】
2012117760.tif 000008
【図７】
2012117760.tif 000009
【図８】
2012117760.tif 000010
【図９】
2012117760.tif 000011
【図１０】
2012117760.tif 000012
【国際調査報告】
2012117760.tif 000013
2012117760.tif 000014